(57)【特許請求の範囲】
【請求項１】
ベースと、該ベースに取り付けられた水平軸体と、該水平軸体に取り付けられ、当該水平軸体の軸心を中心に回転する第１の回転部と、該第１の回転部に取り付けられ、前記水平軸体の軸心に対して直交する直交軸を中心に回転する第２の回転部と、前記直交軸に対して直交するように前記第２の回転部に取り付けられたテーブル板と、前記第１の回転部の真上に前記第２の回転部が位置する状態で前記第１の回転部の回転を禁止するロック機構とを備えることを特徴とする折り畳み式作業テーブル。
【請求項２】
ベースと、該ベースに取り付けられた水平軸体と、該水平軸体に取り付けられ、当該水平軸体の軸心を中心に回転する第１の回転部と、該第１の回転部に取り付けられ、前記水平軸体の軸心に対して直交する直交軸を中心に回転する第２の回転部と、該第２の回転部に取り付けられ、前記直交軸に対して直交する軸を中心に回転する第３の回転部と、該第３の回転部に取り付けられたテーブル板と、前記第１の回転部の真上に前記第２の回転部が位置する状態で前記第１の回転部の回転を禁止するロック機構と、前記第１の回転部の真上に前記第２の回転部が位置する状態で前記テーブル板を水平に保持するストッパ機構を備え、かつ前記ロック機構は解除可能なロック解除機構を備えたものであり、尚かつ前記ロック機構は、前記水平軸体に対して回転不能に設けられた円筒体に形成された軸方向の貫通孔から前記第１の回転部に向けて出入り可能な突出体と、該突出体を前記第１の回転部に向けて常時押圧するスプリングと、前記第１の回転部の前記水平軸体を向いた端面に形成されると共に前記突出体が嵌合することにより前記第２の回転部が前記第１の回転部の真上に位置した状態でロックされるセンタ凹部とを備えて、尚かつ前記ロック解除機構は、前記水平軸体と前記第１の回転部との間に介在されるスリーブと、該スリーブに形成されると共に前記スリーブの前記円筒体側への摺動により前記突出体を前記センタ凹部から押し出す押圧片と、前記スリーブの先端に固着されたボタンとを備えることを特徴とする折り畳み式作業テーブル。
【請求項３】
前記ストッパ機構は、前記第２の回転部に形成された度当たりであることを特徴とする請求項２記載の折り畳み式作業テーブル。
【請求項４】
ベースと、該ベースに取り付けられた水平軸体と、該水平軸体に取り付けられ、当該水平軸体の軸心を中心に回転する第１の回転部と、該第１の回転部に取り付けられ、前記水平軸体の軸心に対して直交する直交軸を中心に回転する第２の回転部と、前記直交軸に対して直交するように前記第２の回転部に取り付けられたテーブル板と、前記第１の回転部の真上に前記第２の回転部が位置する状態で前記第１の回転部の回転を禁止するロック機構とを備え、前記ロック機構は解除可能なロック解除機構を備えたものであり、尚かつ前記ロック機構は、前記水平軸体に対して回転不能に設けられた円筒体に形成された軸方向の貫通孔から前記第１の回転部に向けて出入り可能な突出体と、該突出体を前記第１の回転部に向けて常時押圧するスプリングと、前記第１の回転部の前記水平軸体を向いた端面に形成されると共に前記突出体が嵌合することにより前記第２の回転部が前記第１の回転部の真上に位置した状態でロックされるセンタ凹部とを備えて、尚かつ前記ロック解除機構は、前記水平軸体と前記第１の回転部との間に介在されるスリーブと、該スリーブに形成されると共に前記スリーブの前記円筒体側への摺動により前記突出体を前記センタ凹部から押し出す押圧片と、前記スリーブの先端に固着されたボタンとを備えることを特徴とする折り畳み式作業テーブル。
【請求項５】
前記第１の回転部を前記水平軸体の軸心方向に移動させるスライド機構を備えることを特徴とする請求項１から４までのいずれか記載の折り畳み式作業テーブル。
【請求項６】
前記ベースは、椅子に取り付けられていることを特徴とする請求項１から５までのいずれか記載の折り畳み式作業テーブル。
【請求項７】
前記ベースは、机に取り付けられていることを特徴とする請求項１から５までのいずれか記載の折り畳み式作業テーブル。
【請求項８】
前記ベースは、床に設置されていることを特徴とする請求項１から５までのいずれか記載の折り畳み式作業テーブル。
【請求項９】
前記ベースは前記テーブル板を収納する内部空間を有し、前記水平軸体の前後動によって前記テーブル板が前記ベースから出入りすることを特徴とする請求項５記載の折り畳み式作業テーブル。
【発明の詳細な説明】
【０００１】
【発明の属する技術分野】
本発明は、折り畳み式作業テーブルに関する。より詳しくは、本発明はラップトップ型パーソナルコンピュータ等の重量物を使用しての作業に好適な折り畳み式作業テーブルに関するものである。
【０００２】
【従来の技術】
従来、椅子の肘掛け等に取り付けられた折り畳み式作業テーブルとして、特開平９−１１７３５０号公報に開示された肘掛メモ台装置がある。かかる肘掛メモ台装置では、肘掛け１０１にメモ台１０２を取り付ける構造として、図２１に示すように、椅子の幅方向に水平な円筒形状の固定軸１０３と、椅子の前後方向に水平なシャフト１０４を備えている。メモ台１０２は、不使用時には肘掛け１０１の側面に沿うように吊り下げられている。そして、メモ台１０２を固定軸１０３まわりに回転させるようにして持ち上げた後、シャフト１０４を中心に回転させて体の前に倒してメモ取り作業等に使用する。
【０００３】
【発明が解決しようとする課題】
しかしながら、上述の肘掛メモ台装置では、着座者の体格等に応じてメモ台１０２の前後位置を調節することができなかった。また、メモ台１０２の使用中に着座者が立ち上がる場合にはメモ台１０２をシャフト１０４まわりに回転させるようにして持ち上げる必要があるので、メモ台１０２の上にメモ用紙等を広げたまま立ち上がることができず、特にラップトップ型コンピュータ等の重量物を載せている場合は不便であった。さらに、緊急時等を考慮すると、メモ台１０２を持ち上げることなく立ち上がることができる構造が望まれる。一方、劇場やホール等に設置されている椅子のように複数並べて配置されている椅子に適用した場合には、１枚のメモ台１０２を両側の着座者が兼用することができなかった。
【０００４】
本発明は、テーブル板を持ち上げることなく離席・着席が可能で、椅子と椅子の間に設置した場合には両方の着座者が兼用することができ、さらには、テーブル板を前後に位置調節可能な折り畳み式作業テーブルを提供することを目的とする。
【０００５】
【課題を解決するための手段】
かかる目的を達成するために請求項１記載の折り畳み式作業テーブルは、ベースと、該ベースに取り付けられた水平軸体と、該水平軸体に取り付けられ、当該水平軸体の軸心を中心に回転する第１の回転部と、該第１の回転部に取り付けられ、水平軸体の軸心に対して直交する直交軸を中心に回転する第２の回転部と、直交軸に対して直交するように第２の回転部に取り付けられたテーブル板と、第１の回転部の真上に第２の回転部が位置する状態で第１の回転部の回転を禁止するロック機構とを備えるようにしている。
【０００６】
したがって、第１の回転部を回転させて第２の回転部を真上に移動させると、ロック機構が第１の回転部をロックする。この状態では、直交軸は鉛直になっており、第２の回転部に取り付けられたテーブル板は水平に保持される一方、第２の回転部は水平に回転してテーブル板の向きを変える。テーブル板は２本の回転軸を介してベースに取り付けられており、テーブル板の向きや位置を変えることができる。
【０００７】
また、請求項２記載の折り畳み式作業テーブルは、ベースと、該ベースに取り付けられた水平軸体と、該水平軸体に取り付けられ、当該水平軸体の軸心を中心に回転する第１の回転部と、該第１の回転部に取り付けられ、水平軸体の軸心に対して直交する直交軸を中心に回転する第２の回転部と、該第２の回転部に取り付けられ、直交軸に対して直交する軸を中心に回転する第３の回転部と、該第３の回転部に取り付けられたテーブル板と、第１の回転部の真上に第２の回転部が位置する状態で第１の回転部の回転を禁止するロック機構と、第１の回転部の真上に第２の回転部が位置する状態でテーブル板を水平に保持するストッパ機構を備え、かつロック機構は解除可能なロック解除機構を備えたものであり、尚かつロック機構は、水平軸体に対して回転不能に設けられた円筒体に形成された軸方向の貫通孔から第１の回転部に向けて出入り可能な突出体と、該突出体を第１の回転部に向けて常時押圧するスプリングと、第１の回転部の水平軸体を向いた端面に形成されると共に突出体が嵌合することにより第２の回転部が第１の回転部の真上に位置した状態でロックされるセンタ凹部とを備えて、尚かつロック解除機構は、水平軸体と第１の回転部との間に介在されるスリーブと、該スリーブに形成されると共にスリーブの円筒体側への摺動により突出体をセンタ凹部から押し出す押圧片と、スリーブの先端に固着されたボタンとを備えるようにしている。
この場合、第１の回転部を回転させて第２の回転部を真上に移動させると、ロック機構が第１の回転部をロックする。この状態では、直交軸は鉛直になっており、第３の回転部に取り付けられたテーブル板はストッパ機構によって水平に保持される一方、第２の回転部は水平に回転してテーブル板の向きを変える。また、第３の回転部の回転中心となる軸も水平になっているので、テーブル板を裏返すように反転させることができる。即ち、テーブル板は３本の回転軸を介してベースに取り付けられており、テーブル板の向きや位置、そして使用面の表裏を変えることができる。しかも、折り畳まれている作業テーブルを組み立てて使用する場合には、折り畳み状態からテーブル板を持ち上げるようにして第１の回転部を９０度回転させて第１の回転部の真上に第２の回転部が位置するようにすれば、第１の回転部のセンタ凹部は円筒体の貫通孔に対向してロック機構の突出体がセンタ凹部にはまり込み、第１の回転部をロックする。また、作業テーブルを折り畳む場合には、ロック解除機構のボタンを押し込めば、突出体がセンタ凹部より抜け出て第１の回転部のロックが解除されることから、ボタンを押し込みながら第１の回転部を回転させればテーブル板を下ろすことができる。
ここで、請求項２記載の折り畳み式作業テーブルは、ストッパ機構を、第２の回転部に形成された度当たりで構成することが好ましい。この場合には、テーブル板は第２の回転部に自重で度当たりして水平に保持される。
更に、請求項４記載の折り畳み式作業テーブルは、ベースと、該ベースに取り付けられた水平軸体と、該水平軸体に取り付けられ、当該水平軸体の軸心を中心に回転する第１の回転部と、該第１の回転部に取り付けられ、水平軸体の軸心に対して直交する直交軸を中心に回転する第２の回転部と、直交軸に対して直交するように第２の回転部に取り付けられたテーブル板と、第１の回転部の真上に第２の回転部が位置する状態で第１の回転部の回転を禁止するロック機構とを備え、ロック機構は解除可能なロック解除機構を備えたものであり、尚かつロック機構は、水平軸体に対して回転不能に設けられた円筒体に形成された軸方向の貫通孔から第１の回転部に向けて出入り可能な突出体と、該突出体を第１の回転部に向けて常時押圧するスプリングと、第１の回転部の水平軸体を向いた端面に形成されると共に突出体が嵌合することにより第２の回転部が第１の回転部の真上に位置した状態でロックされるセンタ凹部とを備えて、尚かつロック解除機構は、水平軸体と第１の回転部との間に介在されるスリーブと、該スリーブに形成されると共にスリーブの円筒体側への摺動により突出体をセンタ凹部から押し出す押圧片と、スリーブの先端に固着されたボタンとを備えるようにしている。
この場合、第１の回転部を回転させて第２の回転部を真上に移動させると、ロック機構が第１の回転部をロックする。この状態では、直交軸は鉛直になっており、第２の回転部に取り付けられたテーブル板は水平に保持される一方、第２の回転部は水平に回転してテーブル板の向きを変える。テーブル板は２本の回転軸を介してベースに取り付けられており、テーブル板の向きや位置を変えることができる。しかも、折り畳まれている作業テーブルを組み立てて使用する場合には、折り畳み状態からテーブル板を持ち上げるようにして第１の回転部を９０度回転させて第１の回転部の真上に第２の回転部が位置するようにすれば、第１の回転部のセンタ凹部は円筒体の貫通孔に対向してロック機構の突出体がセンタ凹部にはまり込み、第１の回転部をロックする。また、作業テーブルを折り畳む場合には、ロック解除機構のボタンを押し込めば、突出体がセンタ凹部より抜け出て第１の回転部のロックが解除されることから、ボタンを押し込みながら第１の回転部を回転させればテーブル板を下ろすことができる。
【０００８】
また、請求項５記載の折り畳み式作業テーブルは、第１の回転部を水平軸体の軸心方向に移動させるスライド機構を備えるようにしている。したがって、第１の回転部を移動させると、ベースに対してテーブル板が前後方向に移動し位置調整される。
【０００９】
また、請求項６記載の折り畳み式作業テーブルは、ベースが、椅子に取り付けられるようにしている。したがって、椅子用の簡易テーブルとして使用することができる。
【００１０】
また、請求項７記載の折り畳み式作業テーブルは、ベースが、机に取り付けられるようにしている。したがって、補助テーブルとして使用することができる。
【００１１】
さらに、請求項８記載の折り畳み式作業テーブルは、ベースが、床に設置されるようにしている。したがって、任意位置に作業テーブルを設置することができる。
【００１２】
さらに、請求項９記載の折り畳み式作業テーブルは、ベースが、テーブル板を収納する内部空間を有し、水平軸体の前後動によってテーブル板がベースから出入りするようにしている。この場合、テーブル板を使用しないときにはベース内空間に収めて隠すことができる。
【００１３】
【発明の実施の形態】
以下、本発明の構成を図面に示す最良の形態に基づいて詳細に説明する。
【００１４】
図１から図３に、本発明を適用した折り畳み式作業テーブルの実施形態の一例を示す。この折り畳み式作業テーブル（以下、単に作業テーブルという。）は、例えば椅子や机等に取り付けられて使用されるもので、ベース１と、ベース１に取り付けられた水平軸体２と、水平軸体２に取り付けられ、水平軸体２の軸心を中心に回転する第１の回転部と、第１の回転部に取り付けられ、水平軸体２の軸心に対して直交する直交軸（旋回軸）Ｌを中心に回転する第２の回転部と、第２の回転部に取り付けられ、直交軸Ｌに対して直交する軸（反転軸）を中心に回転する第３の回転部と、第３の回転部に取り付けられたテーブル板３と、第１の回転部の真上に第２の回転部が位置する状態で第１の回転部の回転を禁止するロック機構４と、第１の回転部の真上に第２の回転部が位置する状態でテーブル板３を水平に保持するストッパ機構５を備えている。
【００１５】
ベース１の上端面には大径パイプ６が固定されており、当該大径パイプ６の先端面にはパイプ状の水平軸体２が同軸上に固着されている。この水平軸体２には、第１の回転機構７がはめ込まれている。
【００１６】
第１の回転機構７は、水平軸体２に対して回転不能な円筒体８と、水平軸体２に対して回転可能な第１の回転部である円筒体９を備えている。円筒体８は、フランジ６ａとの間にディスク１０を介在させて当該フランジ６ａに固定されている。この円筒体８を図４〜図６に示す。円筒体８には、軸方向に貫通する貫通孔１１が形成されている。この貫通孔１１内には、図３に示すようにスプリング１２によって円筒体９に向けて常時押圧されている突出体１３が挿入されている。突出体１３は、円筒体９の端面９ａに押し当てられ、円筒体９の回転に伴って２種類の凹部１５，１６から容易に出入りし得るように球面状の先端を有している。
【００１７】
円筒体９の外周面には、径方向に突出するアーム１４が固定されている。この円筒体９は、図７〜図１０に示すように、その両端部において中央の孔１７が拡径されている。そして、円筒体８側の拡径部分の端面９ａには、センタ凹部１５と左右のサイド凹部１６，１６が形成されている。センタ凹部１５は、中央の孔１７を挟んでアーム１４が固定されている位置と反対側の位置に形成されている。このセンタ凹部１５は、中央の孔１７に連続して形成されている。また、各サイド凹部１６は、センタ凹部１５の近傍からセンタ凹部１５に対して９０度離れた位置まで周方向に形成されており、その深さはセンタ凹部１５側の端１６ａから離れるに従って徐々に深くなっており、センタ凹部１５に対して９０度離れた端１６ｂで最も深くなっている。また、サイド凹部１６の溝の幅は、ほぼ滴形に形成され、中央のセンタ凹部１５から離れるに従って幅広となるように配置されている。これら凹部１５，１６には、円筒体８に対する円筒体９の回転によって突出体１３がはまり込む。第１の回転部たる円筒体９を回転させてアーム１４を真上に位置させると、突出体１３が嵌まり込んでいるサイド凹部１６の溝の深さが次第に浅くなると共に幅が狭くなるため、突出体１３が溝・サイド凹部１６から押し出され、センタ凹部１５に落ち込む。これによって、突出体１３は円筒体９が回転しようとしてもセンタ凹部１５から押し出されることはなく、円筒体９の回転を阻止する（図３）。即ち、突出体１３、スプリング１２及びセンタ凹部１５によってロック機構４が構成される。一方、いずれかのサイド凹部１６に突出体１３がはまり込んだ場合には、当該突出体１３は各サイド凹部１６の最も深い端１６ｂを越えて当該サイド凹部１６から抜け出て移動することができないので、円筒体９の回転角度は、センタ凹部１５に対応する位置から両方向に９０度に制限される。
【００１８】
円筒体９と水平軸体２との間には、ロック機構４の作動を解除するロック解除機構１８が設けられている。ロック解除機構１８は、水平軸体２と円筒体９との間に介在されるスリーブ１９と、スリーブ１９の先端に固着されたボタン２０より構成されている。スリーブ１９の後端には、図１１に示すように、径方向に突出する押圧片１９ａが一体形成されている。この押圧片１９ａはセンタ凹部１５内に配置され、突出体１３の先端と当接するように設けられている。したがって、突出体１３がセンタ凹部１５にはまり込んでいる状態でボタン２０を押し込み操作すると、スリーブ１９が第１の円筒体８に向けて移動し、押圧片１９ａが突出体１３を円筒体８の貫通孔１１に押し戻す。そして、ロック機構４を解除して円筒体９の回転を可能にする。一方、各サイド凹部１６には押圧片１９ａに相当する部材は設けられていない。したがって、円筒体９の回転角はセンタ凹部１５に対する位置から左右両方向に９０度に常に制限される。なお、図１２にボタン２０を示す。
【００１９】
アーム１４の先端には、第２の回転機構２１が取り付けられている。第２の回転機構２１は、例えば２枚のディスクプレート２２，２３の間に摺動板を挟んでこれら各ディスクプレート２２，２３を相対回転自在に連結したもので、一方のディスクプレート２２はアーム１４の先端面にＴ字形状に固着されている。したがって、水平軸体２の軸線に対して直交する直交軸Ｌを想定した場合、他方のディスクプレート２３はこの直交軸Ｌを中心に回転する。即ち、他方のディスクプレート２３は第２の回転部を構成する。
【００２０】
第２の回転部たるディスクプレート２３には、テーブル板３を狭持する一対のブラケット２４がヒンジ２５によって取り付けられている。ヒンジ２５のシャフト２６は他方のディスクプレート２３に沿って配置されており、直交軸Ｌに対して直交している。即ち、シャフト２６を中心に回転する一対のブラケット２４が第３の回転部を構成している。テーブル板３は各ブラケット２４に、例えばねじ止めされている。テーブル板３は各ブラケット２４が他方のディスクプレート２３に当たるまでシャフト２６を中心に回転する。即ち、図１中二点鎖線で示すように、円筒体９の真上に他方のディスクプレート２３が位置している状態では、一対のブラケット２４の内いずれか一方が他方のディスクプレート２３に度当たりするまでテーブル板３が倒れるように回転できる。この状態では他方のディスクプレート２３は水平になっているので、テーブル板３はストッパ機構５である他方のディスクプレート２３によってしっかりと水平に保持される。
【００２１】
折り畳まれている作業テーブルを組み立てて使用する場合には、先ず、図１３に示す折り畳み状態からテーブル板３を持ち上げるようにして第１の回転部である円筒体９を９０度回転させてアーム１４を鉛直に立てる（図１４）。これにより、円筒体９のセンタ凹部１５は円筒体８の貫通孔１１に対向してロック機構４の突出体１３がセンタ凹部１５にはまり込み、円筒体９をロックする。この状態では、ストッパ機構５である他方のディスクプレート２３は水平になっているので、図１中二点鎖線で示すように、他方のディスクプレート２３にテーブル板３が自重によって度当たりして水平に保持される。即ち、テーブル板３はロック機構４とストッパ機構５によってしっかりと水平に保持されており、ラップトップ型パーソナルコンピュータ等の重量物をテーブル板３に載せて作業することができる。
【００２２】
いま、ベース１の一側（図１５中奥側）に位置している作業者が折り畳み式テーブルを使用する場合には、図１５に示すように、第２の回転機構２１の他方のディスクプレート２３を水平に回転させてテーブル板３をベース１の一側に移動させれば良い。例えば、椅子の側面にベース１を取り付けた場合には、椅子に座ったままの状態で体の前にテーブル板３を引き出して使用することができる。そして、椅子から立ち上がる場合には、テーブル板３をそのまま前方に押し出すことで第２の回転機構２１を回転させてテーブル板３を水平状態のまま移動させることができ、テーブル板３に物を載せたままスムーズに且つ迅速に離席することができる。また、二人が向かい合って作業をしている場合等には、テーブル板３を図１６に示す位置まで回転させることで、向かい合っている人にもコンピュータ画面を見せることができる。
【００２３】
一方、ベース１の他側（図中手前側）の椅子に座っている作業者が作業テーブルを使用する場合には、例えば図１６の状態からヒンジ２５によってテーブル板３を反転させれば良い（図１７）。ベース１の他側に座っている作業者も前述の場合と同様にテーブル板３を使用することができる。即ち、両側の椅子に座っている２人が作業テーブルを兼用することができる。
【００２４】
作業テーブルを折り畳む場合は、テーブル板３を図１４に示す状態にした後、ロック解除機構１８のボタン２０を押し込みながら円筒体９を回転させてテーブル板３を下ろせば良い。ボタン２０の押し込み操作により突出体１３がセンタ凹部１５より抜け、円筒体９の回転により一方のサイド凹部１６にはまり込む。そして、円筒体９の回転角度が９０度に達すると突出体１３がサイド凹部１６の端１６ｂに到達して引っかかり、アーム１４が水平状態よりも下がるのを防止する。これにより、テーブル板３はベース１の脇に沿うようにして収納される（図１３）。
【００２５】
この作業テーブルは、ベース１を椅子の側面に取り付けることで、あるいは肘掛けなどをベース１とすることによって、椅子用作業テーブルとして使用することができる他、ベース１を机の側面に取り付けることで補助テーブル（補助机）として使用することもできる。机の補助テーブルとしては、コンピュータのマウス操作用として使用できる。また、劇場・ホール用椅子のように複数の椅子が並べられている場合には、椅子と椅子の間の床にベース１を設置し又はいずれか一方の椅子の側面に取り付けることで左右の椅子兼用の作業テーブルとして使用することができると共に、ベース１を肘掛けとして使用することができる。
【００２６】
なお、上述の形態は本発明の好適な形態の一例ではあるがこれに限定されるものではなく本発明の要旨を逸脱しない範囲において種々変形実施可能である。
【００２７】
例えば、上述の折り畳み式作業テーブルは第１の回転部である円筒体９をベース１に対して水平軸体２の軸心方向に移動させることができなかったが、円筒体９を水平軸体２の軸心方向に移動可能即ち前後動可能としても良い。例えば、図１８及び図１９に示す折り畳み式作業テーブルでは、図２０に示すスライド機構２７を備えることで、円筒体９及び水平軸体２をベース１に対して軸心方向に移動可能に取り付けている。このスライド機構２７は、例えばベース１内の所定位置に固定された一対のベアリング２８，２８によって大径パイプ６（この場合における大径パイプ６は水平軸体２の一部を構成している）を出入り自在に支持する構成である。勿論、大径パイプ６の回転を防ぐため、図示していないが副パイプを大径パイプ６と平行に配置してこれらを連結し、２本のパイプをベアリング２８，２８でガイドすることによって水平軸体２の回転を阻止するようにしても良い。大径パイプ６の後端面には、抜け止め板２９が固着されている。かかる構成により、図１８に示すように不使用時にはテーブル板３をベース１の内部空間Ｓに収納しておくことが可能となる。また、図１９に示すように作業者の体格や作業内容に応じてテーブル板３の位置を前後に調節することが可能になる。なお、この場合には、テーブル板３が水平軸体２の真下に位置するまで円筒体９の回転を可能にすることで、ベース１をスリムにすることができる。
【００２８】
また、直交軸Ｌに対して直交する軸を中心に回転する第３の回転部を、必要に応じて省略しても良い。例えばベース１を机や単独で使用する椅子に取り付ける場合には、テーブル板３を反転させて使用する必要性に乏しいので、ブラケット２４を第２の回転部であるディスクプレート２３に取り付け、テーブル板３の一側面のみを使用する構成にしても良い。
【００２９】
【発明の効果】
以上説明したように請求項１記載の折り畳み式作業テーブルによれば、使用中のテーブル板を水平移動させることができる。このため、使用中にテーブル板を持ち上げることなくテーブル板を押し退けてスムーズ且つ迅速に離席することが可能になると共に、向かい合う人にテーブル板に載せたコンピュータの画面を見せることができ、さらには、ベースの左右両側で同一のテーブル板を使用することが可能になるので、作業テーブルの使い勝手が向上する。
【００３０】
また、請求項２記載の折り畳み式作業テーブルによれば、使用中のテーブル板を水平移動させることができ、また、テーブル板を反転させてその表裏の使用が可能になる。このため、使用中にテーブル板を持ち上げることなくテーブル板を押し退けてスムーズ且つ迅速に離席することが可能になると共に、向かい合う人にテーブル板に載せたコンピュータの画面を見せることができ、さらには、ベースの左右両側で同一のテーブル板を使用することが可能になるので、作業テーブルの使い勝手が向上する。しかも、ロック解除機構のボタンを押し込まなければ第１の回転部のロックが解除されないので、作業テーブルを任意に折り畳むことができ、不意に畳まれることがない。
更に、この請求項２記載の折り畳み式作業テーブルのストッパ機構を、第２の回転部に形成された度当たりで構成している請求項３記載の発明によれば、特別な機構を追加することなく、テーブル板をその自重で水平に確実に保持することができ、生産コストの上昇を抑えることができる。
また、請求項４記載の折り畳み式作業テーブルによれば、使用中のテーブル板を持ち上げなくとも水平方向に押し退けるだけで、スムーズ且つ迅速に離席することが可能になると共に、向かい合う人にテーブル板に載せたコンピュータの画面を見せることができ、さらには、ベースの左右両側で同一のテーブル板を使用することが可能になるので、作業テーブルの使い勝手が向上する。しかも、ロック解除機構のボタンを押し込まなければ第１の回転部のロックが解除されないので、作業テーブルを任意に折り畳むことができ、不意に畳まれることがない。
【００３１】
また、請求項５記載の折り畳み式作業テーブルは、第１の回転部を水平軸体の軸心方向に移動させるスライド機構を備えているので、テーブル板を前後方向に移動させることができる。このため、作業者の体格や作業内容等に応じてテーブル板の位置を前後調節することができ、作業テーブルの使い勝手をより一層向上させることができる。
【００３２】
さらに、請求項６記載の折り畳み式作業テーブルではベースを椅子に取り付け、請求項７記載の折り畳み式作業テーブルではベースを机に取り付け、請求項８記載の折り畳み式作業テーブルではベースを床に設置するので、折り畳み式作業テーブルを様々な簡易テーブルとして使用することができる。また、ベースを椅子の側面に取り付けた場合や椅子と椅子の間の床に設置した場合には、ベースを肘掛けとして使用することができる。
【００３３】
さらに、請求項９記載の折り畳み式作業テーブルによると、テーブル不使用時には、ベース内空間にテーブル板を収めて隠すことができるので、見栄え良く収納することができる。
【図面の簡単な説明】
【図１】本発明を適用した折り畳み式作業テーブルの実施形態の一例を示す正面図である。
【図２】図１の折り畳み式作業テーブルを示し、テーブル板を水平に持ち上げた状態の平面図である。
【図３】図１の折り畳み式作業テーブルの要部を拡大して示し、第１の回転部の真上に第２の回転部を位置させた状態の断面図である。
【図４】図１の折り畳み式作業テーブルの円筒体の断面図である。
【図５】図４の矢印Ｖ方向からみた図である。
【図６】図４の矢印ＶＩ方向からみた図である。
【図７】図１の折り畳み式作業テーブルの第１の回転部である円筒体の断面図である。
【図８】図７の矢印ＶＩＩＩ方向からみた図である。
【図９】図７の矢印ＩＸ方向からみた図である。
【図１０】図９のＸ−Ｘ線に沿う断面図である。
【図１１】図１の折り畳み式作業テーブルのロック解除機構のスリーブを示す断面図である。
【図１２】図１の折り畳み式作業テーブルのロック解除機構のボタンを示す断面図である。
【図１３】図１の折り畳み式作業テーブルの折り畳んだ状態を示す概略構成図である。
【図１４】図１の折り畳み式作業テーブルの使用状態の一例を示す概略構成図である。
【図１５】図１の折り畳み式作業テーブルの使用状態の一例を示す概略構成図である。
【図１６】図１の折り畳み式作業テーブルの使用状態の一例を示す概略構成図である。
【図１７】図１の折り畳み式作業テーブルの使用状態の一例を示す概略構成図である。
【図１８】本発明を適用した折り畳み式作業テーブルの他の実施形態を示し、テーブル板を格納する様子を示す概略構成図である。
【図１９】図１８の折り畳み式作業テーブルのテーブル板の位置を前後調節する様子を示す概略構成図である。
【図２０】図１８の折り畳み式作業テーブルのスライド機構を示す断面図である。
【図２１】従来の折り畳み式作業テーブルの取付構造の断面図である。
【符号の説明】
１  ベース
２  水平軸体
３  テーブル板
４  ロック機構
５  ストッパ機構
９  円筒体（第１の回転部）
２３  他方のディスクプレート（第２の回転部）
２４  ブラケット（第３の回転部）
２７  スライド機構
Ｌ  直交軸
【図１】
0003701446.tif 000002
【図２】
0003701446.tif 000003
【図３】
0003701446.tif 000004
【図４】
0003701446.tif 000005
【図５】
0003701446.tif 000006
【図６】
0003701446.tif 000007
【図７】
0003701446.tif 000008
【図８】
0003701446.tif 000009
【図９】
0003701446.tif 000010
【図１０】
0003701446.tif 000011
【図１１】
0003701446.tif 000012
【図１２】
0003701446.tif 000013
【図１３】
0003701446.tif 000014
【図１４】
0003701446.tif 000015
【図１５】
0003701446.tif 000016
【図１６】
0003701446.tif 000017
【図１７】
0003701446.tif 000018
【図１８】
0003701446.tif 000019
【図１９】
0003701446.tif 000020
【図２０】
0003701446.tif 000021
【図２１】
0003701446.tif 000022